【手続補正書】
【提出日】平成26年12月2日(2014.12.2)
【手続補正１】
【補正対象書類名】明細書
【補正対象項目名】０１３２
【補正方法】変更
【補正の内容】
【０１３２】
【表５】
2014504323.tif 000001
データは、新規ブレンドについての凝縮器圧力が、幾つかの現在入手可能な圧縮機についての範囲内であることを示す。しかし、ＨＦＣ−１３４ａについての凝縮器圧力は、幾つかの現在入手可能な圧縮機についての圧力を超える。新規ブレンドについての温度グライドは無視できないが比較的低く、本ブレンドをフラデッドエバポレーターでの使用に適したものにする。新規ブレンドについてのより高いＣＯＰは、ＨＦＣ−１３４ａと比べて改善されたエネルギー効率を実証する。さらに、新規ブレンドについてのＧＷＰは、ＨＦＣ−１３４ａのＧＷＰと比べて著しく低下する。
【手続補正２】
【補正対象書類名】明細書
【補正対象項目名】０１３３
【補正方法】変更
【補正の内容】
【０１３３】
以上、本発明を要約すると下記のとおりである。
１．作動流体中のＥ−ＣＦ３ＣＨ＝ＣＨＦ及びＣ２Ｈ２Ｆ４の総量に対するＥ−ＣＦ３ＣＨ＝ＣＨＦの質量比が約０．０５〜０．９９であるという条件で；（ａ）Ｅ−ＣＦ３ＣＨ＝ＣＨＦ、及び（ｂ）式Ｃ２Ｈ２Ｆ４の少なくとも１つのテトラフルオロエタン、を含む蒸気作動流体を凝縮器で凝縮させ、それによって液体作動流体を生成する工程を含む加熱を生じさせる方法。
２．加熱が、前記凝縮器を含む高温ヒートポンプで生じ、伝熱媒体を凝縮器を通過させ、それによって作動流体の該凝縮が該伝熱媒体を加熱する工程、及び加熱伝熱媒体を凝縮器から加熱しようとする物体に通す工程、をさらに含む、上記１に記載の方法。
３．伝熱媒体が水であり、加熱しようとする物体が水である、上記２に記載の方法。
４．伝熱媒体が水であり、加熱しようとする物体が空間加熱のための空気である、上記２に記載の方法。
５．伝熱媒体が工業用伝熱液体であり、加熱しようとする物体が化学プロセス流である、上記２に記載の方法。
６．作動流体蒸気を遠心圧縮機で圧縮する工程をさらに含む、上記２に記載の方法。
７．加熱が、前記凝縮器を含むヒートポンプで生じ、加熱しようとする流体を該凝縮器に通過させ、かくして流体を加熱する工程をさらに含む、上記１に記載の方法。
８．流体が空気であり、凝縮器からの加熱された空気が加熱しようとする空間に通される、上記７に記載の方法。
９．流体がプロセス流の一部分であり、加熱された部分がプロセスに戻される、上記７に記載の方法。
１０．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が０．７０未満である、上記１に記載の方法。
１１．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０５〜０．５３である、上記１に記載の方法。
１２．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０９〜０．８２である、上記１に記載の方法。
１３．作動流体を含有するヒートポンプ装置であって、作動流体中のＥ−ＣＦ３ＣＨ＝ＣＨＦ及びＣ２Ｈ２Ｆ４の総量に対するＥ−ＣＦ３ＣＨ＝ＣＨＦの質量比が約０．０５〜０．９９であるという条件で；（ａ）Ｅ−ＣＦ３ＣＨ＝ＣＨＦ、及び（ｂ）式Ｃ２Ｈ２Ｆ４の少なくとも１つのテトラフルオロエタンとを含む、上記装置。
１４．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０５〜０．６９である、上記１３に記載の装置。
１５．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０５〜０．５３である、上記１３に記載の装置。
１６．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０９〜０．８２である、上記１３に記載の装置。
１７．遠心圧縮機を含む上記１３に記載のヒートポンプ装置。
１８．Ｅ−ＣＦ３ＣＨ＝ＣＨＦ及びＣ２Ｈ２Ｆ４の総量に対するＥ−ＣＦ３ＣＨ＝ＣＨＦの質量比が約０．０５〜０．９９であるという条件で；（ａ）Ｅ−ＣＦ３ＣＨ＝ＣＨＦ、及び（ｂ）式Ｃ２Ｈ２Ｆ４の少なくとも１つのテトラフルオロエタン、を含む作動流体を
ヒートポンプに装入する工程を含む、ＨＦＣ−１３４ａがヒートポンプ作動流体として使用されるときの最高可能凝縮器動作温度と比べて、ＨＦＣ−１３４ａ作動流体での使用に好適なヒートポンプ装置での最高可能凝縮器動作温度を高める方法。
１９．ヒートポンプに、Ｅ−ＣＦ３ＣＨ＝ＣＨＦ、及びＣＨＦ２ＣＨＦ２を含む作動流体が装入され、最高可能凝縮器動作温度が、１３４ａをヒートポンプ作動流体として使用するときの最高可能凝縮器動作温度と比べて少なくとも約５℃高められる、上記１８に記載の方法。
２０．ヒートポンプに、Ｅ−ＣＦ３ＣＨ＝ＣＨＦとＣＨＦ２ＣＨＦ２とを含む作動流体が装入され、最高可能凝縮器動作温度が、１３４ａをヒートポンプ作動流体として使用するときの最高可能凝縮器動作温度と比べて少なくとも約１０℃高められる、上記１８に記載の方法。
２１．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が０．７０未満である、上記１８に記載の方法。
２２．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０５〜０．５３である、上記１８に記載の方法。
２３．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０９〜０．８２である、上記１８に記載の方法。
２４．Ｅ−ＣＦ３ＣＨ＝ＣＨＦ及びＣ２Ｈ２Ｆ４の総量に対するＥ−ＣＦ３ＣＨ＝ＣＨＦの質量比が約０．０５〜０．９９であるという条件で；（ａ）Ｅ−ＣＦ３ＣＨ＝ＣＨＦ、及び（ｂ）式Ｃ２Ｈ２Ｆ４の少なくとも１つのテトラフルオロエタン、を含む代替作動流体を備え付ける工程を含む、ＨＦＣ−１３４ａ向けにデザインされたヒートポンプ中のＨＦＣ−１３４ａ冷媒を置き換える方法。
２５．約１０質量パーセント〜約４０質量パーセントのＥ−ＣＦ３ＣＨ＝ＣＨＦ、及び約９０質量パーセント〜約６０質量パーセントのＣＨＦ２ＣＨＦ２を含む組成物。
２６．約２０質量パーセント〜約４０質量パーセントのＥ−ＣＦ３ＣＨ＝ＣＨＦ、及び約８０質量パーセント〜約６０質量パーセントのＣＨＦ２ＣＨＦ２を含む上記２５に記載の組成物。
２７．（ａ）上記２５に記載の組成物；及び（ｂ）調合物の総質量に基づいて約１質量パーセント〜約１０質量パーセントの、鉱油用の炭化水素相溶化剤とを含む調合物。
【手続補正３】
【補正対象書類名】特許請求の範囲
【補正対象項目名】全文
【補正方法】変更
【補正の内容】
【特許請求の範囲】
【請求項１】
作動流体中のＥ−ＣＦ3ＣＨ＝ＣＨＦ及びＣ2Ｈ2Ｆ4の総量に対するＥ−ＣＦ3ＣＨ＝ＣＨＦの質量比が約０.０５〜０.９９であるという条件で；（ａ）Ｅ−ＣＦ3ＣＨ＝ＣＨＦ、及び（ｂ）式Ｃ2Ｈ2Ｆ4の少なくとも１つのテトラフルオロエタン、を含む蒸気作動流体を凝縮器で凝縮させ、それによって液体作動流体を生成する工程を含む加熱を生じさせる方法であって、ここで加熱が前記凝縮器を含む高温ヒートポンプで生じる、上記方法。
【請求項２】
高温ヒートポンプの最高凝縮器動作温度が約５５℃超である、請求項１に記載の方法。
【請求項３】
伝熱媒体を凝縮器に通過させ、それによって作動流体の該凝縮が該伝熱媒体を加熱する工程、及び加熱伝熱媒体を凝縮器から加熱しようとする物体に通す工程、をさらに含む、請求項１に記載の方法。
【請求項４】
加熱しようとする流体を該凝縮器に通過させ、かくして流体を加熱する工程をさらに含む、請求項１に記載の方法。
【請求項５】
作動流体を含有するヒートポンプ装置であって、作動流体中のＥ−ＣＦ3ＣＨ＝ＣＨＦ及びＣ2Ｈ2Ｆ4の総量に対するＥ−ＣＦ3ＣＨ＝ＣＨＦの質量比が約０.０５〜０.９９であるという条件で；（ａ）Ｅ−ＣＦ3ＣＨ＝ＣＨＦ、及び（ｂ）式Ｃ2Ｈ2Ｆ4の少なくとも１つのテトラフルオロエタンとを含み、ここでヒートポンプが高温ヒートポンプである、上記装置。
【請求項６】
遠心圧縮機を含む請求項５に記載のヒートポンプ装置。
【請求項７】
Ｅ−ＣＦ3ＣＨ＝ＣＨＦ及びＣ2Ｈ2Ｆ4の総量に対するＥ−ＣＦ3ＣＨ＝ＣＨＦの質量比が約０.０５〜０.９９であるという条件で；（ａ）Ｅ−ＣＦ3ＣＨ＝ＣＨＦ、及び（ｂ）式Ｃ2Ｈ2Ｆ4の少なくとも１つのテトラフルオロエタン、を含む作動流体をヒートポンプに装入する工程を含む、ＨＦＣ−１３４ａがヒートポンプ作動流体として使用されるときの最高可能凝縮器動作温度と比べて、ＨＦＣ−１３４ａ作動流体での使用に好適なヒートポンプ装置での最高可能凝縮器動作温度を高める方法であって、ここでヒートポンプが高温ヒートポンプである、上記方法。
【請求項８】
ヒートポンプに、Ｅ−ＣＦ3ＣＨ＝ＣＨＦ、及びＣＨＦ2ＣＨＦ2を含む作動流体が装入され、最高可能凝縮器動作温度が、１３４ａをヒートポンプ作動流体として使用するときの最高可能凝縮器動作温度と比べて少なくとも約５℃高められる、請求項７に記載の方法。
【請求項９】
Ｅ−ＣＦ3ＣＨ＝ＣＨＦ及びＣ2Ｈ2Ｆ4の総量に対するＥ−ＣＦ3ＣＨ＝ＣＨＦの質量比が約０.０５〜０.９９であるという条件で；（ａ）Ｅ−ＣＦ3ＣＨ＝ＣＨＦ、及び（ｂ）式Ｃ2Ｈ2Ｆ4の少なくとも１つのテトラフルオロエタン、を含む代替作動流体を備え付ける工程を含む、ＨＦＣ−１３４ａ向けにデザインされたヒートポンプ中のＨＦＣ−１３４ａ冷媒を置き換える方法であって、ここでヒートポンプが高温ヒートポンプである、上記方法。